(57)【要約】【課題】架線の余長処理を行うにあたり、熟練した技能がなくても余長部をループ状に巻くことが容易に行え、また、余長部を処理した後に他作業の支障にならないようにする架線余長部処理用アダプタを提供する。【解決手段】電柱２に近接して固定された支持金物６とこの支持金物６に取り付けられてこの支持金物６から下方に延びるＵ字型の余長処理金物７とを有する余長処理具に、電柱間に架設されるケーブルの余長部を整理して取り付けるために架線余長部処理用アダプタ１０を用いる。このアダプタ１０は、余長処理金物７の内側に挿通されて架線の余長部が巻回される筒状部１１と、この筒状部１１の一方の開口端周縁に設けられて余長処理金物７に側方から当接するつば部１２と、前記つば部の前記筒状部が設けられた側と同じ側に設けられると共に前記筒状部の下方に設けられて余長処理金物７の底部を着脱可能に係止させる突出片１３とを具備する。【選択図】        図３
2010252602.tif 000002
【特許請求の範囲】
【請求項１】
柱状体に近接して固定されたＵ字型の余長処理金物に前記柱状体間に架設される架線の余長部を整理して取り付ける場合に用いられる架線余長部処理用アダプタであって、
前記余長処理金物の内側に挿通されて前記架線の余長部が巻回される筒状部と、この筒状部の一方の開口端周縁に設けられて前記余長処理金物に側方から当接するつば部と、前記つば部の前記筒状部が設けられた側と同じ側に設けられると共に前記筒状部の下方に設けられて前記余長処理金物の底部を着脱可能に係止させる突出片とを具備することを特徴とする架線余長部処理用アダプタ。
【請求項２】
前記筒状部には、前記つば部にかけてスリットが形成されていることを特徴とする請求項１記載の架線余長部処理用アダプタ。
【請求項３】
前記筒状部の上部外周面には、スベリ止め部が設けられていることを特徴とする請求項１記載の架線余長部処理用アダプタ。
【請求項４】
前記筒状部の前記つば部が設けられた側と反対側の開口端周縁は、径方向外側に拡がっていることを特徴とする請求項１記載の架線余長部処理用アダプタ。
【請求項５】
請求項１乃至４のいずれかに記載の架線余長部処理用アダプタを用いて、柱状体に架設された架線の余長部を前記余長処理金物に取り付ける架線余長部処理方法であって、
前記架線余長部処理用アダプタの筒状部を前記余長処理金物の内側に挿通させると共に前記つば部に設けられた突出片に前記余長処理金物の底部を係止させて前記架線余長部処理用アダプタを前記余長処理金物に取り付ける工程と、
前記架線の余長部の一部を、前記筒状部を内包するように形成された上方の輪とそれより下方に形成された下方の輪とを描くように８字状にして、前記下方の輪を前記上方の輪に重ねるように折り返して前記筒状部の周囲に巻回する作業を前記余長部の前記筒状部に巻回されていない部分が許容できる程度に短くなるまで繰り返す工程と、
前記筒状部に巻回された部分を整えて前記余長処理金物に固定すると共に前記架線余長部処理用アダプタを取り外す工程と
を具備することを特徴とする架線余長部処理方法。
【発明の詳細な説明】
【技術分野】
【０００１】
本発明は、柱上で電線や光ケーブル等の架線の余長部を処理するために用いられる架線余長部処理用アダプタとこれを用いた架線余長部処理方法に関する。
【背景技術】
【０００２】
電柱に設置されている電線や光ケーブル等の架線は、将来の電柱の支障移設等に備えて、所定距離毎に１０ｍ程度の余長部が設けられており、従来においては、この余長部を処理するために、柱上において余長部をループ状に巻く等の作業が行われている。より具体的には、例えば、下記する特許文献１に示されるような余長分支持金具を用いて余長部を処理する方法や、特許文献２に示されるような余長処理具を用いて余長部を処理する方法等が考えられている。
【０００３】
このうち、前者は、電柱にほぼ水平方向で且つメッセンジャーワイヤの架線方向と直交する方向に固定された腕材に光ファイバケーブル余長分支持金具を上下方向に取り付け、この光ファイバケーブル余長分支持金具の垂直フレームの下部に光ファイバケーブルの余長分を支持する弧状の光ファイバケーブル余長分支持部材を設け、この光ファイバケーブル余長分支持部材に、光ファイバケーブルの余長分を環状に数回巻いてループ状に形成した上でテープ等によって固定するようにしたものである。
【０００４】
また、後者は、電柱に近接して設けられた支持金物と、該支持金物に取り付けられた余長処理金物と、該余長処理金物に前記支持金物から等距離に取り付けられた第１および第２の余長受け部とを具備し、かつ、第１および第２の余長受け部が、余長処理金物を貫通させるための貫通孔が形成された環状部および末端が該環状部の側面に固定されるとともに先端が上方を向くように曲げられた棒状部から構成された第１および第２の本体をそれぞれ備える光ケーブル余長処理具を用い、前記支持金物が光ケーブルの敷設方向に沿うように、光ケーブル余長処理具を支持物に取り付け、第１および第２の余長受け部の棒状部に光ケーブルの余長部を引っ掛けながら該光ケーブルの余長部を巻いていくようにしたものである。
【先行技術文献】
【特許文献】
【０００５】
【特許文献１】特開２００２−３１１３１５号公報
【特許文献２】特開２００８−２６３７６号公報
【発明の概要】
【発明が解決しようとする課題】
【０００６】
しかしながら、前者の構成においては、光ファイバケーブル余長分支持部材の径に合わせてケーブルの余長部をループ状に巻いて固定するので、光ファイバケーブル余長分支持部材の径と巻いたケーブルの輪の径とが異なっていれば、ケーブルを巻き直す必要があるため熟練を要し、また、柱上での作業になるため、高所作業車上で２人がかりでケーブルを手で持って巻き上げる等の作業が必要となり、非常に労力を要するものであった。
【０００７】
また、後者の構成においては、第１及び第２の余長受け部にケーブル余長部を掛けながら整理することができるので作業は容易になるが、ケーブル余長受け部がケーブルの施設方向と直角方向に常時突出した状態になるため、柱上での他作業において邪魔になる等の不都合があり、また、ケーブル余長部を余長処理具に取り付けるための部品点数も多くなる不都合がある。
【０００８】
本発明は上述した不都合に鑑みてなされたものであり、架線の余長処理を行うにあたり、熟練した技能がなくても余長部をループ状に巻くことが容易に行え、また、余長部を処理した後に余長処理具から除去することで他作業の支障にならないようにすることができる架線余長部処理用アダプタと、これを用いたケーブル余長処理方法を提供することを主たる課題としている。
【課題を解決するための手段】
【０００９】
上記課題を達成するために、本発明に係る架線余長部処理用アダプタは、柱状体に近接して固定されたＵ字型の余長処理金物に前記柱状体間に架設される架線の余長部を整理して取り付ける場合に用いられるものであって、前記余長処理金物の内側に挿通されて前記架線の余長部が巻回される筒状部と、この筒状部の一方の開口端周縁に設けられて前記余長処理金物に側方から当接するつば部と、前記つば部の前記筒状部が設けられた側と同じ側に設けられると共に前記筒状部の下方に設けられて前記余長処理金物の底部を着脱可能に係止させる突出片とを具備することを特徴としている。
【００１０】
したがって、架線余長部処理用アダプタの筒状部を余長処理金物の内側を挿通させて余長処理金物の底部を突出片に係止させれば、架線余長部処理用アダプタが余長処理金物に係止されて保持される。そして、この状態で、架線の余長部を筒状部に掛けて仮置きすれば、巻回される余長部を常時保持する必要がなくなり、また、巻回される余長部が筒状部の外表面に沿って垂れ下がることになるので、きれいな環状形状に整えることが可能となる。
【００１１】
そして、巻回された余長部を余長処理金物に紐等で括り付けると共に、架線余長部処理用アダプタを取り外せば、余長処理金物には架線の余長部だけが固定された状態となる。
【００１２】
ここで、筒状部には、つば部にかけてスリットを形成するようにするとよい。このようなスリットが設けられると、架線の余長部が筒状部に巻回された後に、架線余長部処理用アダプタを外さなくても、このスリットを介して紐等を挿入して巻回された余長部を余長処理金物に括り付けることが可能となる。
【００１３】
また、架線の余長部が特に接触する筒状部の上部外周面には、スベリ止め部を設けることが望ましい。
さらに、筒状部に巻回した余長部の脱落を防止するために、筒状部のつば部が設けられた側と反対側の開口端周縁を径方向外側に拡げることが望ましい。
【００１４】
以上のような構成の余長架線余長部処理用アダプタを用いて、柱状体に架設された架線の余長部を余長ケーブル保持具に取り付ける余長処理方法としては、前記架線余長部処理用アダプタの筒状部を前記余長処理金物の内側に挿通させると共に前記つば部に設けられた突出片に前記余長処理金物の底部を係止させて前記架線余長部処理用アダプタを前記余長処理金物に取り付ける工程と、前記架線の余長部の一部を、前記筒状部を内包するように形成された上方の輪とそれより下方に形成された下方の輪とを描くように８字状にして、前記下方の輪を前記上方の輪に重ねるように折り返して前記筒状部の周囲に巻回する作業を前記余長部の前記筒状部に巻回されていない部分が許容できる程度に短くなるまで繰り返す工程と、前記筒状部に巻回された部分を整えて前記余長処理金物に固定すると共に前記架線余長部処理用アダプタを取り外す工程とを具備するとよい。
【００１５】
したがって、このような余長処理方法を採用すれば、架線余長部処理用アダプタの筒状部に架線を仮置きしつつ筒状部に巻回させることができ、また、筒状部の外径を目安に余長部を巻くことができるので、容易にかつ綺麗に余長部を処理することが可能となる。また、筒状部に巻回される余長部は、余長部の一部を８字状にして、下方の輪を上方の輪に重ねるように折り返して筒状部の周囲に巻回されるので、後日に巻回された余長部を解いた場合でも余長部に撚りがかかる不都合を低減することが可能となる。
【発明の効果】
【００１６】
以上述べたように、柱状体に架設された架線の余長部を柱状体に近接して固定されたＵ字型の余長処理金物に整理して取り付けるに当たり、余長処理金物の内側に挿通されて架線の余長部が巻回される筒状部と、この筒状部の一方の開口端周縁に設けられて余長処理金物に側方から当接するつば部と、このつば部の前記筒状部が設けられた側と同じ側に設けられると共に前記筒状部の下方に設けられて余長処理金物の底部を着脱可能に係止させる突出片とを具備する架線余長部処理用アダプタを用いることで、余長部の整理が格別な技能を有していなくても容易に行え、また、余長部を綺麗に整理することが可能となる。
【００１７】
また、余長処理後に、余長処理金物から架線余長部処理用アダプタを取り外して架線の余長部のみを余長処理金物に取り付けることができるので、余長処理具に多くの部品を取り付けておく必要がなく、他作業の邪魔にならないシンプルな処理構造となり、また外観を綺麗に仕上げることが可能となる。
【図面の簡単な説明】
【００１８】
【図１】図１は、本発明に係るＵ字型の余長処理金物を用いた余長処理具を示す図であり、（ａ）はその正面図であり、（ｂ）はその側面図である。
【図２】図２は、本発明に係る架線余長部処理用アダプタを示す図であり、（ａ）はその正面図、（ｂ）はその側面図、（ｃ）は（ｂ）のＡ−Ａ線で切断した断面図である。
【図３】図３は、Ｕ字型の余長処理金物に架線余長部処理用アダプタを取り付けた状態を示す図であり、（ａ）はその正面図、（ｂ）はその側面図である。
【図４】図４は、架線の余長部を処理する工程を説明する図である。
【図５】図５は、架線の余長部を処理する工程を説明する図であり、図４の工程の続きを示す。
【図６】図６は、架線余長部処理用アダプタの他の例を示す図である。
【発明を実施するための形態】
【００１９】
以下、本発明に係る実施形態を図面を用いて説明する。
【００２０】
この例においては、電柱の腕金に取り付けられた余長処理具に光ファイバケーブルの余長部を整理して取り付ける場合が示されている。
余長処理具１は、図１に示されるように、電柱２に取り付けられた腕金３にボルト等によって固定された支持金物６と、この支持金物６に取り付けられてこの支持金物６から下方に延びるＵ字型の余長処理金物７とによって構成されている。
【００２１】
この例において、支持金物６は、中空の角材によって構成され、電柱間に架設されるメッセンジャーワイヤ４に沿って取り付けられている光ファイバケーブル（以下、ケーブル５という）の架設方向とほぼ同方向に延びるように中央部を腕金３の下面にボルト止めされている。また、余長処理金物７は、支持金物６の両端部に下方から挿入されてナット留めされた対をなす垂下部７ａと、これら垂下部７ａの下部を連続的に繋げて形成された底部７ｂとを有して構成され、この例では、Ｕ字状に曲げられた金属棒により一体的に形成されている。
そして、この余長処理金物７には、ケーブル５の余長部５ａを取り付ける際に利用される図2に示されるような架線余長部処理用アダプタ１０が着脱自在に取り付けられる。
【００２２】
架線余長部処理用アダプタ１０は、その全体が合成樹脂等の軽量かつ硬質の材料によって一体的に成形されており、前記Ｕ字状の余長処理金物７の内側に挿通されてケーブル５の余長部５ａが巻回される筒状部１１と、この筒状部１１の一方の開口端周縁に設けられて前記余長処理金物７に対して側方から当接するつば部１２と、筒状部１１の下方においてつば部１２に設けられると共に、つば部１２の前記筒状部１１が設けられた側と同じ側に設けられて余長処理金物７の底部７ｂを着脱可能に係止させるための突出片１３とを有して構成されている。
【００２３】
この突出片１３は、つば部１２から筒状部１１の軸方向に沿って突設され、その先端部を下方へ向けて屈曲させた断面Ｌ字状に形成され、つば部１２との間に形成される溝部１３ａに余長処理金物７の底部７ｂを嵌め入れることによって係止するようにしている。また、この例において突出片１３は、筒状部１１の下端から所定の角度範囲に亘って周方向に弧状に形成されている。
【００２４】
筒状部１１は、余長処理金物７の底部７ｂの内径（対をなす垂下部７ａの間隔）よりも小さい外径を有すると共に、光ケーブルの最小曲げ径よりも大きい径に形成されており、軸方向寸法が、約１０ｍほどの余長部５ａが十分に巻回できる程度の長さに設定されている。
【００２５】
また、つば部１２は、余長処理金物７の底部７ｂの径（対をなす垂下部７ａの間隔）よりも大きな径に形成され、上部の２ヶ所には、余長処理金物７の垂下部７ａに括りつけるための取付ワイヤ１５が付設されている。
【００２６】
さらに、筒状部１１には、その軸方向中程からつば部１２にかけて複数のスリット１６が形成されている。この例において、夫々のスリット１６は、筒状部１１の中程からつば部１２にかけて軸方向に延設されると共に筒状部１１の開口部分からつば部１２の中程にかけて径方向に延設されたＬ字状に形成されている。
尚、スリット１６は、筒状部１１の上側半分の部分に形成されており、この例では、約４５度の間隔で計５箇所に形成されている。
【００２７】
そして、このような架線余長部処理用アダプタ１０は、図３に示されるように、筒状部１１を余長処理金物７の内側（対をなす垂下部７ａの間）に挿通させ、つば部１２を余長処理金物７に側方から当接させると共に、筒状部１１の下部に設けられた突出片１３とつば部１２との間に前記余長処理金物７の底部７ｂを着脱可能に係止させ、その上で、つば部１２の上部に設けられた取付ワイヤ１５を余長処理金物７の垂下部７ａに括り付けることにより、余長処理金物７に着脱自在に取り付けられる。
【００２８】
次に、以上の架線余長部処理用アダプタ１０を用いてケーブル５の余長部５ａを余長処理金物７に取り付ける工程を説明すると、まず、図４（ａ）に示されるように、余長部５ａが設けられている柱上の腕金３に、支持金物６をケーブル５の架設方向と同方向を向くように取り付け、この支持金物６を介してＵ字型の余長処理金物７を下方へ延ばすように取り付ける。そして、図３にも示したように、架線余長部処理用アダプタ１０の筒状部１１をこの余長処理金物７の内側（対をなす垂下部７ａの間）に通すと共に突出片１３に余長処理金物７の底部７ａを係止させて（突出片１３によってつば部１２との間に形成される溝部１３ａに余長処理金物７の底部７ａを嵌め入れるようにして）、架線余長部処理用アダプタ１０を余長処理金物７に係止させ、また、つば部１２の上部に取り付けられた取付ワイヤ１５を余長処理金物７の垂下部７ａに括りつけて、架線余長部処理用アダプタ１０を余長処理金物７に保持固定する。
【００２９】
その後、図４（ｂ）に示されるように、ケーブル５の余長部５ａを架線余長部処理用アダプタ１０の筒状部１１の外周を回すように仮置きしつつ、ケーブル５の余長部５ａの一部を、筒状部１１を内包するように形成された上方の輪とそれより下方に形成された下方の輪とを描くように８字状にし、その後、図４（ｃ）に示されるように、下方の輪を上方の輪に重ねるように折り返して筒状部１１の周囲に巻回させる。その際、ケーブル余長は必ずしも余長処理金物７の整数倍の長さとはならないため、巻かれるケーブルの輪の径が異なってくる。このため、余長処理金物７の底部７ｂの径を狙って余長部５ａの輪を形成しつつ、余長部の輪の径のばらつきを吸収できるように、筒状部１１の周囲に余長部５ａの輪を幾分弛ませた状態にして巻回する。
【００３０】
このような作業を、図５（ａ），（ｂ）に示されるように、筒状部１１に巻回されていない余長部５ａの部分がなくなるまで、又は、許容できる程度に短くなるまで繰り返し、余長部全体が筒状部１１に巻回された後に、全体の輪を整えて、その上で、スリット１６から紐を挿入して筒状部１１に巻回されたケーブルを束ねる。特に、架線余長部処理用アダプタ１０の左右両端部においては、スリット１６から挿入された紐によりケーブルを束ねると同時に余長処理金物７に括りつける。
【００３１】
その後、垂下部７ａに取り付けた取付ワイヤ１５を外して架線余長部処理用アダプタ１０を余長処理金物７から取り外す。これにより、ケーブルの余長部５ａは、スリットを介して取り付けられた紐により余長処理金物７に括りつけられているので、そのまま脱落せずに余長処理金物７に固定された状態が維持され、必要に応じて巻かれた余長部５ａの下部をスパイラルチューブ等で整えることにより処理作業は終了する。
【００３２】
したがって、上述の構成によれば、ケーブル５の余長部５ａをＵ字型の余長処理金物７に整理して取り付けるにあたり、余長処理金物７に架線余長部処理用アダプタ１０を取り付け、この架線余長部処理用アダプタ１０の筒状部１１の外面にケーブル５の余長部５ａを掛けて仮置きしつつ処理することができるので、作業者はケープル５の余長部５ａの重量を常時支える必要がなく、作業がし易いものとなる。
【００３３】
また、架線余長部処理用アダプタ１０は、ケーブル５の余長部５ａを余長処理金物７に取り付ける際にのみ余長処理金物７に取り付けられ、余長部５ａを余長処理金物７に括りつけた後に除去されるので、後において柱上で作業するような場合に邪魔になることがなくなる。しかも、まとめられたケーブル５の余長部５ａは、余長処理金物７に沿って括りつけられているので、架線余長部処理用アダプタ１０を除去した後においても、ケーブル５の余長部５ａが余長処理金物７から大きく張り出すことがなくなり、外観形状もシンプルなものとなる。
【００３４】
さらに、上述の構成においては、筒状部１１の径を余長部５ａが取り付けられる余長処理金物７の底部７ｂの径よりも小さくして余長部５ａを筒状部１１の径よりも大きい径で筒状部１１の周囲に巻回できるようにしたので、余長部５ａの巻き径のばらつきを吸収することができると共に余長部５ａの巻き径の調整が容易となる。また、余長処理金物７に架線余長部処理用アダプタ１０を取り付けた状態で筒状部１１に巻回された余長部５ａをスリット１６を介して紐で束ねて余長処理金物７に括りつけることができるので、余長部を支えながら作業する必要もなくなり、また、架線余長部処理用アダプタ１０を外しても余長部５ａのループ状態が崩れることもなくなる。
【００３５】
さらにまた、上述の構成においては、ケーブル５を架線余長部処理用アダプタ１０を利用して８字状にした後に、下側の輪を上側の輪に重ね合わせるような巻回方法を採用しているので、ケーブル５の余長部５ａに撚りがかかる不都合を低減することが可能となり、また、余長処理金物７との固定状態を解いてケーブル出しをする場合においては、前記架線余長部処理用アダプタ１０を余長部の輪に挿入しつつ前述のように余長処理金物７に取り付け、余長処理金物７との固定状態を解いた後に必要な分だけケーブルを出していけばよく、ケーブル出しが終わった後は、巻回部分の残りを再び紐で余長処理金物７に括りつけて架線余長部処理用アダプタ１０を取り外せばよい。このため、余長部５ａを新たに巻き直す必要もなくなる。
【００３６】
尚、上述した架線余長部処理用アダプタ１０は、適宜改良して用いることが可能であり、例えば、図６（ａ）に示されるように、筒状部１１の外周面の上半分に、ケーブル５の余長部５ａとの摩擦抵抗を大きくするために、例えば合成ゴム等からなるシート材を筒状部１１の外周面に貼着してスベリ止め部２０を形成するようにしてもよい。このような構成を採用すれば、筒状部１１に巻回されたケーブル５の余長部５ａが筒状部１１の外表面を滑って外れやすくなる不都合を低減することが可能となる。
【００３７】
また、図６（ｂ）に示されるように、筒状部１１のつば部１２が設けられている側と反対側の開口端周縁に、径方向外側に拡がる脱落防止用突部２１を設けるようにしてもよい。このような構成を採用すれば、筒状部１１に巻回されたケーブルが多くなっても、ケーブルが脱落防止用突部２１により筒状部１１から脱落することがなくなる。
【００３８】
尚、上述の例においては、架線として光ケーブルを用いた例を示したが、電線などの余長部を処理するために上述の構成を採用してもよく、また、柱状体として電柱である場合を示したが、ポールその他の柱状体で構成される場合に、上述した構成をそのまま採用することも可能である。
【符号の説明】
【００３９】
１  余長処理具
２  電柱
３  腕金
５  ケーブル
５ａ  余長部
６  支持金物
７  余長処理金物
１０  架線余長部処理用アダプタ
１１  筒状部
１２  つば部
１３  突出片
１６  スリット
２０  スベリ止め部
２１  脱落防止用突部
【図１】
2010252602.tif 000003
【図２】
2010252602.tif 000004
【図３】
2010252602.tif 000005
【図４】
2010252602.tif 000006
【図５】
2010252602.tif 000007
【図６】
2010252602.tif 000008